(57)【特許請求の範囲】
【請求項１】
ロール状に巻回された記録紙を収納する記録紙収納部と、
前記記録紙収納部の底部に前記ロール状に巻回された記録紙の外周に沿って配置され、前記ロール状に巻回された記録紙を回転可能に支持する複数のローラと、
を備え、
前記複数のローラのうちの少なくとも１つは、前記記録紙収納部内における前記ロール状に巻回された記録紙の巻き出しに伴う巻き出し方向への移動を規制する移動規制ローラであり、
前記移動規制ローラは、その外径が当該移動規制ローラを除く他の複数のローラの外径よりも大きく形成されている、
ことを特徴とする記録紙収納装置。
【請求項２】
ロール状に巻回された記録紙を収納する記録紙収納部と、
前記記録紙収納部の底部に前記ロール状に巻回された記録紙の外周に沿って配置され、前記ロール状に巻回された記録紙を回転可能に支持する複数のローラと、
を備え、
前記複数のローラのうちの少なくとも１つは、前記記録紙収納部内における前記ロール状に巻回された記録紙の巻き出しに伴う巻き出し方向への移動を規制する移動規制ローラであり、
前記移動規制ローラは、前記記録紙収納部の前記底部から前記記録紙収納部の内部に突出する突出長さが、当該移動規制ローラを除く他の複数のローラにおける前記記録紙収納部の前記底部から前記記録紙収納部の内部に突出する突出長さよりも長く形成されている、
ことを特徴とする記録紙収納装置。
【請求項３】
前記移動規制ローラは、前記ロール状に巻回された記録紙が引き出される側に前記複数のローラの中で最も接近して配置されていることを特徴とする請求項１または２に記載の記録紙収納装置。
【請求項４】
前記ロール状に巻回された記録紙が引き出される側に位置する前記記録紙収納部の近傍には、前記引き出された記録紙に情報を印刷するプリンタ部が配置されていることを特徴とする請求項１〜３のいずれかに記載の記録紙収納装置。
【請求項５】
請求項１〜４のいずれかに記載された記録紙収納装置を備えていることを特徴とする電子機器。
【発明の詳細な説明】
【技術分野】
【０００１】
この発明は、電子レジスタなどの電子機器におけるプリンタ装置に用いられる記録紙収納装置およびそれを備えた電子機器に関する。
【背景技術】
【０００２】
例えば、プリンタ装置の記録紙収納装置においては、特許文献１に記載されているように、ロール状に巻回された記録紙を収納する記録紙収納部と、この記録紙収納部の底部にロール状に巻回された記録紙の外周に沿って配置され、ロール状に巻回された記録紙を回転自在に支持する複数のローラと、を備えた構成のものが知られている。
【先行技術文献】
【特許文献】
【０００３】
【特許文献１】特開２００５−３０６５３５号公報
【０００４】
このようなプリンタ装置の記録紙収納装置は、ロール状に巻回された記録紙にプリンタ部で印刷情報を印刷するために、ロール状に巻回された記録紙がプリンタ部に送り込まれる際に、記録紙収納部の底部に配置された複数のローラ上でロール状に巻回された記録紙が回転することにより、ロール状に巻回された記録紙をプリンタ部に送り出すように構成されている。
【発明の概要】
【発明が解決しようとする課題】
【０００５】
しかしながら、このようなプリンタ装置の記録紙収納装置では、ロール状に巻回された記録紙が複数のローラ上で回転する際に、ロール状に巻回された記録紙がプリンタ部側に引っ張られて移動するため、ロール状に巻回された記録紙がプリンタ部側に位置する記録紙収納部の内面に当接して摩擦抵抗が発生し、この摩擦抵抗によってロール状に巻回された記録紙を円滑に送り出すことができないという問題がある。
【０００６】
この発明が解決しようとする課題は、ロール状に巻回された記録紙を円滑に送り出すことができるようにすることである。
【課題を解決するための手段】
【０００７】
この発明は、ロール状に巻回された記録紙を収納する記録紙収納部と、前記記録紙収納部の底部に前記ロール状に巻回された記録紙の外周に沿って配置され、前記ロール状に巻回された記録紙を回転可能に支持する複数のローラと、を備え、前記複数のローラのうちの少なくとも１つは、前記記録紙収納部内における前記ロール状に巻回された記録紙の巻き出しに伴う巻き出し方向への移動を規制する移動規制ローラであり、前記移動規制ローラは、その外径が当該移動規制ローラを除く他の複数のローラの外径よりも大きく形成されている、ことを特徴とする記録紙収納装置である。
また、この発明は、ロール状に巻回された記録紙を収納する記録紙収納部と、前記記録紙収納部の底部に前記ロール状に巻回された記録紙の外周に沿って配置され、前記ロール状に巻回された記録紙を回転可能に支持する複数のローラと、を備え、前記複数のローラのうちの少なくとも１つは、前記記録紙収納部内における前記ロール状に巻回された記録紙の巻き出しに伴う巻き出し方向への移動を規制する移動規制ローラであり、前記移動規制ローラは、前記記録紙収納部の前記底部から前記記録紙収納部の内部に突出する突出長さが、当該移動規制ローラを除く他の複数のローラにおける前記記録紙収納部の前記底部から前記記録紙収納部の内部に突出する突出長さよりも長く形成されている、ことを特徴とする記録紙収納装置である。
【発明の効果】
【０００８】
この発明によれば、記録紙収納部内から引き出されるロール状に巻回された記録紙の巻き出しに伴う巻き出し方向への移動を規制することができるので、記録紙収納部に対するロール状に巻回された記録紙の接触を防いで、記録紙収納部に対するロール状に巻回された記録紙の摩擦抵抗を大幅に軽減することができ、これによりロール状に巻回された記録紙を円滑に送り出すことができる。
【図面の簡単な説明】
【０００９】
【図１】この発明を電子レジスタに適用した一実施形態を示した斜視図である。
【図２】図１に示された電子レジスタのＡ−Ａ矢視におけるプリンタ装置であるプリンタユニットの拡大断面図である。
【図３】図１に示された電子レジスタにおいて、プリンタユニットのプリンタカバーおよび排出規制部材の可変規制部を取り外した状態における記録紙収納部の内部を示した拡大平面図である。
【図４】図３に示された記録紙収納部のＢ−Ｂ矢視における拡大断面図である。
【発明を実施するための形態】
【００１０】
以下、図１〜図４を参照して、この発明を電子レジスタに適用した一実施形態について説明する。
この電子レジスタは、図１に示すように、機器ケース１を備えている。この機器ケース１には、入力表示ユニット２、プリンタ装置であるプリンタユニット３、および補助表示器４が搭載されている。
【００１１】
入力表示ユニット２は、図１に示すように、ユニットケース５の上面に入力表示パネル６を設けたものであり、顧客が購入する商品の情報をオペレータが入力表示パネル６のタッチ操作によって入力するように構成されている。この場合、入力表示パネル６は、図示しないが、表示パネルの上面に透明なタッチパネルを配置した構成になっている。
【００１２】
この入力表示パネル６は、図１において、オペレータが表示パネルに表示された情報を見ながら、タッチパネルをタッチ操作して、売買する商品の情報を入力すると共に、その入力された情報が表示パネルに表示されるように構成されている。ユニットケース５は、機器ケース１上に、その一部分（図１では左側の一部分）を除いて、前下がりに傾斜した状態で配置されている。
【００１３】
この場合、ユニットケース５の下面には、半円筒状に突出する回転部（図示せず）が設けられており、機器ケース１上には、ユニットケース５の回転部が回転可能に配置される半円筒状に窪んだ支持部（図示せず）が設けられている。これにより、ユニットケース５は、その下面の半円筒状の回転部が機器ケース１上の半円筒状の支持部内で回転移動することにより、後部（図１では上辺側）が競り上がって傾斜するように構成されている。
【００１４】
補助表示器４は、図１および図２に示すように、表示ケース７に情報を表示する表示部８を設けたものであり、表示ケース７が伸縮自在の支持部９に水平方向に回転自在に支持され、この支持部９によって機器ケース１の背面に設けられた表示収納部１０内に出没可能に配置されるように構成されている。
【００１５】
すなわち、この補助表示器４は、図１および図２に示すように、支持部９を上方に伸ばして表示ケース７を機器ケース１の表示収納部１０内から引き上げて機器ケース１の上方に配置させ、この状態で支持部９を中心に表示ケース７をほぼ水平方向に回転させることにより、表示部８に表示された情報が顧客から見やすい方向を向くように構成されている。
【００１６】
一方、プリンタ装置であるプリンタユニット３は、図１および図２に示すように、機器ケース１上に開閉可能に配置されたプリンタカバー１２と、機器ケース１の内部に設けられた記録紙収納部１３と、機器ケース１内における記録紙収納部１３の近傍に配置されたプリンタ部１４とを備え、機器ケース１における入力表示ユニット２の左隣に配置されている。
【００１７】
プリンタカバー１２は、図１および図２に示すように、入力表示ユニット２の上面とほぼ同じ高さで、且つ前下がりに傾斜した状態で、機器ケース１上にその左側つまり入力表示ユニット２と反対側に向けて開閉可能に取り付けられている。記録紙収納部１３は、ロール状に巻回された記録紙１５を収納するものであり、機器ケース１の後部側（図２では右側）から前部側（図２では左側）に向けてほぼ半円筒形の凹部状に形成されている。
【００１８】
プリンタ部１４は、図２に示すように、印字ヘッド１４ａとプラテン１４ｂとを備え、機器ケース１内における記録紙収納部１３の前側部（図２では左側部）に配置されている。すなわち、印字ヘッド１４ａは、記録紙収納部１３の前側部における外側上部に配置されている。プラテン１４ｂは、記録紙収納部１３の前側部おける内側上部に印字ヘッド１４ａと対応して配置されるように構成されている。
【００１９】
これにより、プリンタ部１４は、図２に示すように、印字ヘッド１４ａとプラテン１４ｂとの間に、記録紙収納部１３内に収納されたロール状に巻かれた記録紙１５が送り込まれ、この送り込まれた記録紙１５に印字ヘッド１４ａが印刷情報を印刷し、この印刷された記録紙１５をプリンタカバー１２の記録紙排出口１２ａに向けて送り出すように構成されている。
【００２０】
この場合、プリンタカバー１２の記録紙排出口１２ａは、図１および図２に示すように、プリンタカバー１２が機器ケース１上に配置されて閉じた際に、印字ヘッド１４ａとプラテン１４ｂとの間に対応する状態で、プリンタカバー１２の前部側にその前後方向と直交する方向に細長い長方形状に形成されている。
【００２１】
また、プリンタ部１４とプリンタカバー１２との間には、図２に示すように、排出規制部材１６が設けられている。この排出規制部材１６は、規制路１７を備え、この規制路１７によってプリンタ部１４で印刷された記録紙１５の排出側に位置する先端部をその厚み方向に挟むように位置規制して、プリンタカバー１２の記録紙排出口１２ａに送り込むように構成されている。
【００２２】
すなわち、この排出規制部材１６は、図２に示すように、プリンタカバー１２が機器ケース１上に配置されて、記録紙収納部１３とプリンタ部１４とを覆って閉じた際に、プリンタカバー１２側に位置する先細の上端部がプリンタカバー１２の記録紙排出口１２ａ内における下部側に挿入されるように構成されている。
【００２３】
また、この排出規制部材１６は、図２に示すように、機器ケース１に固定されて、プリンタ部１４の印字ヘッド１４ａを覆い隠すための固定規制部１８と、機器ケース１に対して記録紙１５の排出方向に移動可能に設けられて、プリンタ部１４のプラテン１４ｂを保持するための可動規制部１９と、を備えている。
【００２４】
固定規制部１８は、図２に示すように、機器ケース１の前側上部に固定される固定部１８ａと、この固定部１８ａからプリンタカバー１２の記録紙排出口１２ａに向けて傾斜する第１ガイド傾斜部１８ｂと、を備えている。固定部１８ａは、ほぼ平板状に形成され、印字ヘッド１４ａの上部側に位置して、機器ケース１上に取り付けられている。
【００２５】
可動規制部１９は、図２に示すように、プラテン１４ｂ側に位置する機器ケース１内に上下方向に回転可能に取り付けられた回転支持部２０と、この回転支持部２０からプリンタカバー１２の記録紙排出口１２ａに向けて傾斜する第２ガイド傾斜部２１と、回転支持部２０に設けられてプラテン１４ｂが取り付けられるプラテン取付部２２と、を備えている。この場合、回転支持部２０は、機器ケース１の両側部の内面にそれぞれ設けられた支持軸１ａに回転可能に取り付けられている。
【００２６】
これにより、可動規制部１９は、図２に示すように、回転支持部２０が機器ケース１の支持軸１ａを中心に上下方向に回転するように構成されている。すなわち、この可動規制部１９は、回転支持部２０が機器ケース１の支持軸１ａを中心に反時計回りに回転した際に、回転支持部２０が記録紙収納部１３の前側上部に配置されるように構成されている。
【００２７】
この場合、可動規制部１９は、図２に示すように、回転支持部２０が記録紙収納部１３の前側上部に配置された際に、回転支持部２０に設けられた第２ガイド傾斜部２１が固定規制部１８の第１ガイド傾斜部１８ｂに対応して配置されることにより、排出規制部材１６の規制路１７を形成すると共に、プラテン取付部２２に取り付けられたプラテン１４ｂが印字ヘッド１４ａに対応して配置されるように構成されている。
【００２８】
ところで、プリンタユニット３の記録紙収納部１３内における底部１３ａには、図２〜図４に示すように、ロール状に巻かれた記録紙１５を回転可能に支持する複数のローラ２３、２４がロール状に巻回された記録紙１５の外周に沿って配置されている。これら複数のローラ２３、２４は、記録紙収納部１３内におけるロール状に巻回された記録紙１５の巻き出しに伴う巻き出し方向への移動を規制する移動規制ローラ２３と、ロール状に巻回された記録紙１５を回転可能に支持する複数の支持ローラ２４と、を備えている。
【００２９】
この場合、移動規制ローラ２３は、図２〜図４に示すように、ロール状に巻回された記録紙１５が記録紙収納部１３内から引き出されて印刷されるプリンタ部１４に最も接近して配置されている。すなわち、移動規制ローラ２３は、記録紙収納部１３の底部１３ａにおける前側に配置されている。また、複数の支持ローラ２４は、記録紙収納部１３の底部１３ａにおける移動規制ローラ２３の後部側から記録紙収納部１３の後部側に向けて所定間隔で順次配置されている。
【００３０】
これにより、移動規制ローラ２３および複数の支持ローラ２４は、図２〜図４に示すように、ロール状に巻回された記録紙１５の下部側を包み込んだ状態で、ロール状に巻回された記録紙１５を回転可能に支持するように構成されている。この場合、移動規制ローラ２３は、規制ローラ部２３ａと、この規制ローラ部２３ａの両側に設けられた規制ローラ軸２３ｂと、を備えている。複数の支持ローラ２４それぞれは、支持ローラ部２４ａと、この支持ローラ部２４ａの両側に設けられた支持ローラ軸２４ｂと、を備えている。
【００３１】
この場合、移動規制ローラ２３は、図２〜図４に示すように、規制ローラ部２３ａの外径が複数の支持ローラ２４における支持ローラ部２４ａの外径よりも大きく形成されている。このため、この移動規制ローラ２３は、ロール状に巻回された記録紙１５が規制ローラ部２３ａに当接した際に、規制ローラ部２３ａに対するロール状に巻回された記録紙１５の当接面積が広くなり、規制ローラ部２３ａに対するロール状に巻回された記録紙１５の当接力を分散させて、摩擦抵抗を軽減させるように構成されている。
【００３２】
また、この移動規制ローラ２３は、図２〜図４に示すように、記録紙収納部１３の底部１３ａから記録紙収納部１３の内部に突出する規制ローラ部２３ａの突出長さが、複数の支持ローラ２４における記録紙収納部１３の底部１３ａから記録紙収納部１３の内部に突出する支持ローラ部２４ａの突出長さよりも長く形成されている。
【００３３】
これに伴って、記録紙収納部１３の底部１３ａには、図２〜図４に示すように、移動規制ローラ２３の規制ローラ部２３ａの上部側を記録紙収納部１３の内部に突出させた状態で、規制ローラ部２３ａを回転自在に収納するほぼ半円弧の凹部状の規制ローラ収納部２５が、プリンタ部１４に最も接近する記録紙収納部１３の前部側に位置して設けられている。
【００３４】
また、記録紙収納部１３の底部１３ａにおける規制ローラ収納部２５の両側、つまり記録紙収納部１３の前後方向と直交する方向の両側には、図２〜図４に示すように、規制ローラ２３の規制ローラ軸２３ｂをそれぞれ回転自在に保持するほぼ半円弧の凹部状の規制軸保持部２６が設けられている。この場合、ほぼ半円弧の凹部状の規制軸保持部２６は、その開口部に係止突起２６ａが設けられ、この係止突起２６ａによって規制ローラ軸２３ｂが規制軸保持部２６内から不用意に抜け出さないように構成されている。
【００３５】
また、記録紙収納部１３の底部１３ａには、図２〜図４に示すように、複数の支持ローラ２４の各支持ローラ部２４ａの上部側を記録紙収納部１３の内部にそれぞれ突出させた状態で、各支持ローラ部２４ａをそれぞれ回転自在に収納するほぼ半円弧の凹部状の複数の支持ローラ収納部２７が、記録紙収納部１３の底部１３ａの円弧状の湾曲に沿って、規制ローラ収納部２５の後部側から記録紙収納部１３の後部側に亘って所定間隔で設けられている。
【００３６】
また、記録紙収納部１３の底部１３ａにおける複数の支持ローラ収納部２７の各両側、つまり記録紙収納部１３の前後方向と直交する方向の各両側には、図３および図４に示すように、複数の支持ローラ２４の各支持ローラ軸２４ｂをそれぞれ回転自在に保持するほぼ半円弧の凹部状の複数の支持軸保持部２８がそれぞれ設けられている。これら複数の支持軸保持部２８は、その各開口部がくびれていることにより、各支持ローラ軸２４ｂが各支持軸保持部２８内から不用意に抜け出さないように構成されている。
【００３７】
この場合、規制軸保持部２６と複数の支持軸保持部２８とは、図４に示すように、移動規制ローラ２３における記録紙収納部１３の底部１３ａから記録紙収納部１３の内部に突出する規制ローラ部２３ａの突出長さを、複数の支持ローラ２４における記録紙収納部１３の底部１３ａから記録紙収納部１３の内部に突出する支持ローラ部２４ａの突出長さよりも長く形成するために、記録紙収納部１３の底部１３ａの上面から規制軸保持部２６と複数の支持軸保持部２８と各内部の中心までの距離が同じ長さで形成されている。
【００３８】
これにより、記録紙収納部１３は、図２〜図４に示すように、その内部に収納されたロール状に巻回された記録紙１５がプリンタ部１４に引き出される際に、ロール状に巻回された記録紙１５が複数の支持ローラ２４の各支持ローラ部２４ａ上で回転しながら移動規制ローラ２３に向けて移動して、移動規制ローラ２３の規制ローラ部２３ａに当接するように構成されている。
【００３９】
このため、この記録紙収納部１３は、図２〜図４に示すように、ロール状に巻回された記録紙１５が移動規制ローラ２３の規制ローラ部２３ａに当接することにより、移動規制ローラ２３の規制ローラ部２３ａによってロール状に巻回された記録紙１５の巻き出しに伴う巻き出し方向への移動が規制され、この状態で移動規制ローラ２３が回転しながらロール状に巻回された記録紙１５をプリンタ部１４に送り出すように構成されている。
【００４０】
次に、この電子機器の作用について説明する。
この電子機器を使用する際には、まず、機器ケース１に対する入力表示ユニット２のユニットケース５の傾きを調整すると共に、補助表示器４の高さおよび向きを調整する。
【００４１】
すなわち、ユニットケース５の傾きを調整する場合には、ユニットケース５の下面の半円筒状の回転部を機器ケース１上の半円筒状の支持部内で回転移動させて、後部（図１では上辺側）の競り上がりを調整して、入力表示ユニット２の入力表示パネル６をオペレータがタッチ操作し易い角度に傾ける。
【００４２】
また、補助表示器４の高さおよび向きを調整する場合には、補助表示器４の支持部９を上方に伸ばして補助表示器４の表示ケース７を機器ケース１の表示収納部１０内から引き上げて機器ケース１の上方に配置させ、この状態で支持部９を中心に表示ケース７をほぼ水平方向に回転させる。これにより、表示部８に表示された情報を顧客が見やすい高さでかつ顧客から見やすい方向に向ける。
【００４３】
この状態で、オペレータが入力表示ユニット２の入力表示パネル６をタッチ操作して、売買する商品の情報を入力すると、その入力された情報が入力表示ユニット２の表示パネルに表示されると共に、補助表示器４の表示部８に表示される。これにより、入力表示ユニット２の表示パネルに表示された情報をオペレータが視認することができると共に、補助表示器４の表示部８に表示された情報を顧客が視認することができる。
【００４４】
そして、このように表示された情報を売上データとしてプリンタユニット３で印刷してレシートを発行する際には、オペレータが入力表示ユニット２の入力表示パネル６をタッチ操作して、プリンタユニット３のプリンタ部１４を駆動させる。すると、プリンタ部１４の印字ヘッド１４ａが記録紙１５に売上データを順次印刷し、この印刷された記録紙１５をレシートとして発行する。
【００４５】
この場合には、予め、機器ケース１内の記録紙収納部１３にロール状に巻回された記録紙１５を収納する。このときには、プリンタカバー１２を開いて記録紙収納部１３を露出させると共に、機器ケース１内に設けられた排出規制部材１６の可動規制部１９を回転させてプリンタ部１４のプラテン１４ｂを機器ケース１の上方に移動させる。
【００４６】
この状態で、機器ケース１内の記録紙収納部１３にロール状に巻回された記録紙１５を収納し、この収納されたロール状に巻回された記録紙１５の先端部を引き出してプリンタ部１４の印字ヘッド１４ａに対応させて配置する。そして、排出規制部材１６の可動規制部１９を回転させて、記録紙収納部１３の上部に配置する。すると、可動規制部１９の回転支持部２０が機器ケース１内の支持軸１ａを中心に反時計回りに回転し、回転支持部２０が記録紙収納部１３の前側上部に配置される。
【００４７】
このときには、排出規制部材１６の可動規制部１９の第２ガイド傾斜部２１が固定規制部１８の第１ガイド傾斜部１８ｂに対応して、排出規制部材１６の規制路１７を形成する。また、このときには、可動規制部１９のプラテン取付部２２に設けられたプラテン１４ｂが印字ヘッド１４ａに対応して配置され、このプラテン１４ｂと印字ヘッド１４ａとの間に記録紙収納部１３から引き出された記録紙１５が挟まれる。これにより、プリンタ部１４による記録紙１５に対する印刷情報の印刷が可能な状態になる。
【００４８】
この状態で、プリンタカバー１２を回転させて機器ケース１上に配置して閉じると、プリンタカバー１２に設けられた記録紙排出口１２ａがプリンタ部１４の印字ヘッド１４ａとプラテン１４ｂとの間に対応すると共に、プリンタカバー１２の記録紙排出口１２ａ内の下部に排出規制部材１６の先細の上端部、つまり固定規制部１８の第１ガイド傾斜部１８ｂと可動規制部１９の第２ガイド傾斜部２１との互いに対向する各上端部が挿入する。
【００４９】
そして、この状態で、プリンタ部１４の印字ヘッド１４ａが駆動されると、この印字ヘッド１４ａが記録紙収納部１３内から引き出された記録紙１５をプラテン１４ｂに押し付けながら記録紙１５に印刷情報を順次印刷する。この印刷された記録紙１５は、排出規制部材１６の規制路１７を通してプリンタカバー１２の記録紙排出口１２ａから機器ケース１の外部に排出される。
【００５０】
この場合、プリンタ部１４で記録紙１５に印刷情報が順次印刷される際には、ロール状に巻かれた記録紙１５が記録紙収納部１３内から順次引き出されるため、ロール状に巻回された記録紙１５が記録紙収納部１３内の移動規制ローラ２３と複数の支持ローラ２４との上で回転しながら、順次プリンタ部１４に引き出される。
【００５１】
このときには、ロール状に巻回された記録紙１５がプリンタ部１４側に引き寄せられるので、複数の支持ローラ２４上をロール状に巻回された記録紙１５がプリンタ部１４側に向けて移動して、移動規制ローラ２３の規制ローラ部２３ａにロール状に巻回された記録紙１５が当接する。これにより、移動規制ローラ２３がロール状に巻回された記録紙１５の巻き出しに伴う巻き出し方向への移動を規制し、この状態で移動規制ローラ２３が回転しながら記録紙１５をプリンタ部１４に送り出す。
【００５２】
すなわち、移動規制ローラ２３は、記録紙収納部１３の底部１３ａにおけるプリンタ部１４に接近した位置に配置され、かつその規制ローラ部２３ａの外径が複数の支持ローラ２４における各支持ローラ部２４ａの外径よりも大きく形成されていると共に、規制ローラ部２３ａの上部側が複数の支持ローラ部２４ａの上部側よりも、記録紙収納部１３の底部１３ａから記録紙収納部１３の内部に大きく突出している。
【００５３】
このため、プリンタ部１４側に引き寄せられたロール状に巻回された記録紙１５が移動規制ローラ２３に向けて移動すると、移動規制ローラ２３の規制ローラ部２３ａにロール状に巻回された記録紙１５が確実に当接する。これにより、ロール状に巻回された記録紙１５の巻き出しに伴う巻き出し方向への移動が移動規制ローラ２３の規制ローラ部２３ａによって良好に規制される。
【００５４】
また、このようにロール状に巻回された記録紙１５が移動規制ローラ２３の規制ローラ部２３ａに当接した際には、規制ローラ部２３ａの外径が複数の支持ローラ２４における各支持ローラ部２４ａの外径よりも大きいので、規制ローラ部２３ａに対するロール状に巻回された記録紙１５の当接面積が広くなり、規制ローラ部２３ａに対するロール状に巻回された記録紙１５の当接力が分散されることにより、摩擦抵抗が軽減される。
【００５５】
この場合、ロール状に巻回された記録紙１５の外径が大きいときには、ロール状に巻回された記録紙１５が移動規制ローラ２３と複数の支持ローラ２４とのほぼすべてに支持されているため、ロール状に巻回された記録紙１５がプリンタ部１４に引き出される際に、ロール状に巻回された記録紙１５はプリンタ部１４側に向けてほとんど移動せずに移動規制ローラ２３に当接して、ロール状に巻回された記録紙１５の巻き出しに伴う巻き出し方向への移動が規制される。
【００５６】
また、ロール状に巻回された記録紙１５の外径が次第に小さくなると、ロール状に巻回された記録紙１５が移動規制ローラ２３に支持されるが、複数の支持ローラ２４のうち、引き出される側に位置するいずれかの支持ローラ２４に支持される。このため、ロール状に巻回された記録紙１５がプリンタ部１４に引き出される際には、外径の小さいロール状に巻回された記録紙１５がプリンタ部１４側に向けて大きく移動して移動規制ローラ２３に当接することになる。これにより、この移動規制ローラ２３によってロール状に巻回された記録紙１５の巻き出しに伴う巻き出し方向への移動が規制される。
【００５７】
このように、ロール状に巻回された記録紙１５が移動規制ローラ２３に当接してロール状に巻回された記録紙１５の巻き出しに伴う巻き出し方向への移動が規制された状態で、ロール状に巻回された記録紙１５がプリンタ部１４に引き出される際には、移動規制ローラ２３が回転しながら記録紙１５をプリンタ部１４に送り出す。このため、ロール状に巻回された記録紙１５が移動規制ローラ２３に当接しても、摩擦抵抗がほとんど発生しない。これにより、記録紙１５をプリンタ部１４に円滑に送り出すことができるので、紙詰まりを起こすことがない。
【００５８】
このように、この電子レジスタのプリンタ装置であるプリンタユニット３によれば、ロール状に巻回された記録紙１５を収納する記録紙収納部１３と、この記録紙収納部１３の底部１３ａにロール状に巻回された記録紙１５の外周に沿って配置され、ロール状に巻回された記録紙１５を回転可能に支持する複数のローラ２３、２４と、を備え、これら複数のローラ２３、２４は、記録紙収納部１３内におけるロール状に巻回された記録紙１５の巻き出しに伴う巻き出し方向への移動を規制する移動規制ローラ２３と、ロール状に巻回された記録紙１５を回転可能に支持する複数の支持ローラ２４と、を備えていることにより、ロール状に巻回された記録紙１５を円滑に送り出すことができる。
【００５９】
すなわち、このプリンタ装置であるプリンタユニット３では、記録紙収納部１３内に収納されたロール状に巻回された記録紙１５が引き出される際に、ロール状に巻回された記録紙１５が引き出される方向に移動しても、移動規制ローラ２３によってロール状に巻回された記録紙１５の巻き出しに伴う巻き出し方向への移動を規制することができる。このため、記録紙収納部１３に対するロール状に巻回された記録紙１５の接触を防いで、記録紙収納部１３に対するロール状に巻回された記録紙１５の摩擦抵抗を大幅に軽減することができるので、ロール状に巻回された記録紙１５を円滑に送り出すことができ、これにより紙詰まりを防ぐことができる。
【００６０】
この場合、移動規制ローラ２３は、ロール状に巻回された記録紙１５が引き出される側に最も接近して配置されていることにより、ロール状に巻回された記録紙１５が記録紙収納部１３内から引き出される際に、その引き出し側であるプリンタ部１４側にロール状に巻回された記録紙１５が移動しても、ロール状に巻回された記録紙１５を移動規制ローラ２３に当接させることができるので、移動規制ローラ２３によってロール状に巻回された記録紙１５の巻き出しに伴う巻き出し方向への移動を確実に規制することができる。
【００６１】
また、移動規制ローラ２３は、その外径が複数の支持ローラ２４の外径よりも大きく形成されていることにより、ロール状に巻回された記録紙１５が記録紙収納部１３内から引き出される際に、その引き出し側であるプリンタ部１４側にロール状に巻回された記録紙１５が移動しても、そのロール状に巻回された記録紙１５を移動規制ローラ２３に確実に当接させることができ、これにより移動規制ローラ２３によってロール状に巻回された記録紙１５の巻き出しに伴う巻き出し方向への移動を確実にかつ良好に規制することができる。
【００６２】
この場合、移動規制ローラ２３は、その外径が複数の支持ローラ２４の外径よりも大きいので、ロール状に巻回された記録紙１５が移動規制ローラ２３に当接した際に、移動規制ローラ２３に対するロール状に巻回された記録紙１５の当接面積を広くすることができる。これにより、移動規制ローラ２３に対するロール状に巻回された記録紙１５の当接力を分散させることができるので、移動規制ローラ２３に対するロール状に巻回された記録紙１５の摩擦抵抗を軽減することができる。
【００６３】
さらに、移動規制ローラ２３は、記録紙収納部１３の底部１３ａから記録紙収納部１３の内部に突出する突出長さが、複数の支持ローラ２４における記録紙収納部１３の底部１３ａから記録紙収納部１３の内部に突出する突出長さよりも長く形成されていることにより、ロール状に巻回された記録紙１５が記録紙収納部１３内から引き出される際に、ロール状に巻回された記録紙１５を移動規制ローラ２３に確実に当接させることができる。
【００６４】
すなわち、この移動規制ローラ２３は、ロール状に巻回された記録紙１５が記録紙収納部１３内から引き出される際に、その引き出し側であるプリンタ部１４側にロール状に巻回された記録紙１５が移動しても、そのロール状に巻回された記録紙１５を移動規制ローラ２３に確実に当接させることができるので、この移動規制ローラ２３によってロール状に巻回された記録紙１５の巻き出しに伴う巻き出し方向への移動を確実にかつ良好に規制することができる。
【００６５】
このように、このプリンタユニット３の移動規制ローラ２３は、記録紙収納部１３の底部１３ａにおけるプリンタ部１４に最も接近した位置に配置され、かつその外径が複数の支持ローラ２４の外径よりも大きく形成されていると共に、移動規制ローラ２３の上部側が複数の支持ローラ２４の上部側よりも、記録紙収納部１３の底部１３ａから記録紙収納部１３の内部に大きく突出しているので、プリンタ部１４側に引き寄せられたロール状に巻回された記録紙１５を移動規制ローラ２３に確実に当接させて、ロール状に巻回された記録紙１５の巻き出しに伴う巻き出し方向への移動を良好に規制することができる。
【００６６】
このため、この移動規制ローラ２３では、ロール状に巻回された記録紙１５が移動規制ローラ２３に当接してロール状に巻回された記録紙１５の巻き出しに伴う巻き出し方向への移動が規制された状態で、ロール状に巻回された記録紙１５がプリンタ部１４に引き出される際に、移動規制ローラ２３が回転しながら記録紙１５をプリンタ部１４に送り出すことができる。
【００６７】
これにより、この移動規制ローラ２３では、ロール状に巻回された記録紙１５が移動規制ローラ２３に当接してロール状に巻回された記録紙１５の巻き出しに伴う巻き出し方向への移動を確実に規制しても、移動規制ローラ２３が回転しながら記録紙１５をプリンタ部１４に送り出すので、ロール状に巻回された記録紙１５と移動規制ローラ２３との間に摩擦抵抗がほとんど発生せず、記録紙１５をプリンタ部１４に円滑に送り出すことができ、これにより紙詰まりを防ぐことができる。
【００６８】
なお、上述した実施形態では、電子レジスタに適用した場合について述べたが、この発明は必ずしも電子レジスタである必要はなく、例えばプリンタ装置を備えたファックス、またはプリンタ装置を備えた携帯情報処理装置などの電子機器に広く適用することができる。
【００６９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７０】
（付記）
請求項１に記載の発明は、ロール状に巻回された記録紙を収納する記録紙収納部と、前記記録紙収納部の底部に前記ロール状に巻回された記録紙の外周に沿って配置され、前記ロール状に巻回された記録紙を回転可能に支持する複数のローラと、を備え、前記複数のローラのうちの少なくとも１つは、前記記録紙収納部内における前記ロール状に巻回された記録紙の巻き出しに伴う巻き出し方向への移動を規制する移動規制ローラであることを特徴とする記録紙収納装置である。
【００７１】
請求項２に記載の発明は、前記移動規制ローラは、前記ロール状に巻回された記録紙が引き出される側に最も接近して配置されていることを特徴とする請求項１に記載の記録紙収納装置である。
【００７２】
請求項３に記載の発明は、前記移動規制ローラは、その外径が当該移動規制ローラを除く他の複数のローラの外径よりも大きく形成されていることを特徴とする請求項１または２に記載の記録紙収納装置である。
【００７３】
請求項４に記載の発明は、前記移動規制ローラは、前記記録紙収納部の前記底部から前記記録紙収納部の内部に突出する突出長さが、当該移動規制ローラを除く他の複数のローラにおける前記記録紙収納部の前記底部から前記記録紙収納部の内部に突出する突出長さよりも長く形成されていることを特徴とする請求項１〜３のいずれかに記載の記録紙収納装置である。
【００７４】
請求項５に記載の発明は、前記ロール状に巻回された記録紙が引き出される側に位置する前記記録紙収納部の近傍には、前記引き出された記録紙に情報を印刷するプリンタ部が配置されていることを特徴とする請求項１〜４のいずれかに記載の記録紙収納装置である。
【００７５】
請求項６に記載の発明は、請求項１〜５のいずれかに記載された記録紙収納装置を備えていることを特徴とする電子機器である。
【符号の説明】
【００７６】
１  機器ケース
２  入力表示ユニット
３  プリンタユニット
１２  プリンタカバー
１２ａ  記録紙排出口
１３  記録紙収納部
１３ａ  底部
１４  プリンタ部
１４ａ  印字ヘッド
１４ｂ  プラテン
１５  記録紙
１６  排出規制部材
１８  固定規制部
１９  可動規制部
２３  移動規制ローラ
２３ａ  規制ローラ部
２３ｂ  規制ローラ軸
２４  支持ローラ
２４ａ  支持ローラ部
２４ｂ  支持ローラ軸
２５  規制ローラ収納部
２６  規制軸保持部
２７  支持ローラ収納部
２８  支持軸保持部
【図１】
0006380368.tif 000002
【図２】
0006380368.tif 000003
【図３】
0006380368.tif 000004
【図４】
0006380368.tif 000005